(57)【要約】【課題】  遊技場内の機器を監視するために必要な設備を、すでに設置されている監視対象機器に対応させて設ける際に、大がかりなレイアウト変更などを必要としないで設置でき、導入を簡単にできるようにすること。【解決手段】  遊技場に設置された個別の監視対象機器１に対応するとともに、無線でＩＤ信号を受信する受信部４と、監視対象動作を検出する検出部２と、上記受信部および上記検出部に連係した処理部３と、予め登録された特定のＩＤを記憶した記憶部６とを備え、処理部３は、検出部２から動作検出信号が入力され、かつ、受信部４からＩＤ信号が入力されていないとき、アラーム動作信号を出力する機能と、上記検出部から動作検出信号が入力され、かつ、上記受信部からＩＤ信号が入力されたとき、受信部４から入力されたＩＤ信号と一致する上記特定のＩＤが、上記記憶部に記憶されていないとき、アラーム動作信号を出力する機能とを有する。【選択図】  図１
2005111243.tif 000002
【特許請求の範囲】
【請求項１】
遊技場に設置された個別の監視対象機器に対応するとともに、無線でＩＤ信号を受信する受信部と、上記監視対象機器に対応するとともに、その監視対象動作を検出する検出部と、上記受信部および上記検出部に連係した処理部と、この処理部に連係し、予め登録された特定のＩＤを記憶した記憶部とを備え、上記受信部は、上記監視対象機器の近傍から発信されるＩＤ信号を受信するとともに、そのＩＤ信号を処理部に対して出力する機能を有し、上記検出部は、特定の監視対象動作を検出した時点で動作検出信号を処理部へ出力する機能を有し、上記処理部は、上記検出部から動作検出信号が入力され、かつ、上記受信部からＩＤ信号が入力されていないときに、アラーム動作信号を出力する機能と、上記検出部から動作検出信号が入力され、かつ、上記受信部からＩＤ信号が入力されたときに、入力されたＩＤ信号と記憶部に記憶された上記特定のＩＤとを対比する機能と、その対比の結果、上記受信部から入力されたＩＤ信号と一致する上記特定のＩＤが、上記記憶部に記憶されていないときに、アラーム動作信号を出力する機能とを有する監視システム。
【請求項２】
受信部または検出部に、受信部または検出部を監視対象機器またはその近傍に取り付けるための取り付け部を備えた請求項１に記載の監視システム。
【請求項３】
上記検出部は、監視対象機器の動作、非動作に応じて出力される音を検出するための音センサーである請求項１または２に記載の監視システム。
【請求項４】
遊技場に設置された個別の監視対象機器に固定した監視シートと、この監視シートから出力された信号および人ＩＤを無線で受信する受信部と、受信部に連係したメイン処理部と、このメイン処理部に連係し、予め登録された特定の人ＩＤを記憶したＩＤ記憶部とを備えるとともに、上記監視シートは、検出部と、無線発信部と、シート側処理部とを備え、上記シート側処理部は、上記検出部から出力された動作検出信号を、無線発信部を介して上記受信部へ出力する機能を有し、上記受信部は、上記監視シートから入力された動作検出信号をメイン処理部へ出力する機能を有し、上記メイン処理部は、上記受信部から動作検出信号が入力され、かつ、上記受信部からＩＤ信号が入力されていないときに、アラーム動作信号を出力する機能と、上記受信部から動作検出信号が入力され、かつ、上記受信部からＩＤ信号が入力されたときに、入力されたＩＤ信号とＩＤ記憶部に記憶された上記特定の人ＩＤとを対比する機能と、その対比の結果、上記受信部から入力されたＩＤ信号と一致する特定の人ＩＤが、上記ＩＤ記憶部に記憶されていなかったときに、アラーム信号を出力する機能とを有する監視システム。
【請求項５】
上記監視シートには固有のＩＤを記憶させたシート側記憶部を備え、このシート側記憶部は、上記固有のＩＤを、無線発信部を介して受信部へ送信する機能を備え、メイン処理部は、受信部を介して受信した固有のＩＤに基づいて監視シートを特定する機能を備えた請求項４に記載の監視システム。
【請求項６】
検出部が振動を検出する機能を有する請求項４または５に記載の監視システム。
【請求項７】
検出部を複数備えた請求項４〜６のいずれか１に記載の監視システム。
【請求項８】
シート側処理部にスイッチを接続し、シート側処理部は、上記スイッチのオン信号が入力されたとき、オン信号とともにシート側記憶部に記憶された固有ＩＤを送信する請求項５〜７のいずれか１に記載の監視システム。
【請求項９】
メイン処理部は、検出部から入力された信号のうち、予め設定した規準レベル以上の信号を動作検出信号と判定する請求項１〜８のいずれか１に記載の監視システム。
【発明の詳細な説明】
【技術分野】
【０００１】
この発明は、遊技場に設置された機器に対して不正な操作が行われていないか監視するための監視システムに関する。
【背景技術】
【０００２】
遊技場に設置された遊技台や、遊技媒体の計数器や、入場カード発行機などの機器に対して、従業員や遊技者が、不正な操作を行わないように監視するシステムが従来からあった。
例えば、遊技台の扉を開けて不正行為を行うことがないように、特定の従業員カードが挿入されなければ扉を開けられないようにしたり、いつ、誰が、扉を開けたのかということが、後から分かるように、操作履歴を管理コンピュータに記憶するようにしたものなどがある（特許文献１参照）。
【０００３】
上記のように、特定の機器の操作者を特定したり、操作履歴を記録したりするために、例えばガラス扉の開閉などの機器の状況を検出する検出手段や、従業員カードを読み取るカードリーダーを、遊技台など操作を監視すべき機器に設けていた。
【特許文献１】特開２００１−３００１０５号公報
【発明の開示】
【発明が解決しようとする課題】
【０００４】
上記のように、遊技台などに対する従業員の操作履歴を監視したい場合、上記検出手段やカードリーダーなどが必要になる。このような手段を備えていない機器の場合、全ての機器を、上記検出手段やカードリーダーを備えた機器に取り替えるのはコストがかかってしまう。そこで、その監視対象機器とは別に、カード情報を読み取る読み取り手段や、機器の操作状況を検出する検出手段を備えた監視装置を設ける方法が考えられる。
【０００５】
例えば、遊技台の扉を開閉した履歴を従業員ＩＤに関連づけて記憶しておくようにする場合、扉の開閉を検出できる検出手段と、従業員ＩＤを読み取るカードリーダーとを備えた監視装置を遊技台に連係させて設置するようにする。このような監視装置は、操作者がカードを挿入しやすいように、カード挿入口を操作者側に向けて設置しなければならないし、カード挿入口と対応する遊技台がどれなのか分かるようにしなければならい。
つまり、遊技台を監視する監視装置は、遊技台の近くに、カード挿入口を正面に向けて設置しなければならないという制約があった。
【０００６】
上記監視装置を、遊技台の前に設置したのでは、遊技中の遊技者にとって、邪魔になる。従って、遊技台と遊技台との間に設置することが考えられるが、遊技台間に監視装置を設置するためには、遊技台の間隔を広くしなければならないので、その分、設置可能な遊技台の台数が制限されるという問題がある。また、初期には、上記のような監視装置を設置することを予定していなかった場合には、後から、遊技台の間隔を広くしなければならないので、遊技場内の大がかりなレイアウト変更が必要になるという問題があった。
【０００７】
この発明の課題は、遊技場内の機器を監視するために必要な設備を、すでに設置されている監視対象機器に対応させて設ける際に、大がかりなレイアウト変更などを必要としないで設置でき、そのシステムの導入を簡単に行うことができる監視システムを提供することである。
【課題を解決するための手段】
【０００８】
第１の発明は、遊技場に設置された個別の監視対象機器に対応するとともに、無線でＩＤ信号を受信する受信部と、上記監視対象機器に対応するとともに、その監視対象動作を検出する検出部と、上記受信部および上記検出部に連係した処理部と、この処理部に連係し、予め登録された特定のＩＤを記憶した記憶部とを備えている。
そして、上記受信部、検出部および処理部が、以下の機能を備えた点に特徴を有する。
【０００９】
上記受信部は、上記監視対象機器の近傍から発信されるＩＤ信号を受信するとともに、そのＩＤ信号を処理部に対して出力する機能を有し、上記検出部は、特定の監視対象動作を検出した時点で動作検出信号を処理部へ出力する機能を有する。
また、上記処理部は、上記検出部から動作検出信号が入力され、かつ、上記受信部からＩＤ信号が入力されていないとき、アラーム動作信号を出力する機能と、上記検出部から動作検出信号が入力され、かつ、上記受信部からＩＤ信号が入力されたとき、入力されたＩＤ信号と記憶部に記憶された上記特定のＩＤとを対比する機能と、その対比の結果、上記受信部から入力されたＩＤ信号と一致する上記特定のＩＤが、上記記憶部に記憶されていないとき、アラーム動作信号を出力する機能とを有する。
【００１０】
第２の発明は、第１の発明を前提とし、受信部または検出部に、監視対象機器またはその近傍に取り付けるための取り付け部を備えた点に特徴を有する。
第３の発明は、上記第１または第２の発明を前提とし、上記検出部が、監視対象機器の動作、非動作に応じて出力される音を検出するための音センサーである点に特徴を有する。
【００１１】
第４の発明は、遊技場に設置された個別の監視対象機器に固定した監視シートと、この監視シートから出力された信号および人ＩＤを無線で受信する受信部と、受信部に連係したメイン処理部と、このメイン処理部に連係し、予め登録された特定の人ＩＤを記憶したＩＤ記憶部とを備えるとともに、上記監視シートは、検出部と、無線発信部と、シート側処理部とを備え、上記シート側処理部は、上記検出部から出力された動作検出信号を、無線発信部を介して上記受信部へ出力する機能を有し、上記受信部は、上記監視シートから入力された動作検出信号をメイン処理部へ出力する機能を有し、上記メイン処理部は、上記受信部から動作検出信号が入力され、かつ、上記受信部からＩＤ信号が入力されていないときに、アラーム動作信号を出力する機能と、上記受信部から動作検出信号が入力され、かつ、上記受信部からＩＤ信号が入力されたときに、入力されたＩＤ信号とＩＤ記憶部に記憶された上記特定の人ＩＤとを対比する機能と、その対比の結果、上記受信部から入力されたＩＤ信号と一致する特定の人ＩＤが、上記ＩＤ記憶部に記憶されていなかったときに、アラーム信号を出力する機能とを有する点に特徴を有する。
【００１２】
第５の発明は、上記監視シートには固有のＩＤを記憶させたシート側記憶部を備え、このシート側記憶部は、上記固有のＩＤを、無線発信部を介して受信部へ送信する機能を備え、メイン処理部は、受信部を介して受信した固有のＩＤに基づいて監視シートを特定する機能を備えた点に特徴を有する。
【００１３】
第６の発明は、第４、第５の発明を前提とし、検出部が振動を検出する機能を有する点に特徴を有する。
なお、上記振動を検出する機能を発揮する構造としては、例えば、圧電素子に錘を連係させたものや、加速度センサなど物体の移動を検出するセンサに錘を連係させたものが利用できる。
第７の発明は、第４〜第６の発明を前提とし、検出部を複数備えた点に特徴を有する。
【００１４】
第８の発明は、第５〜第７の発明におけるシート側処理部にスイッチを接続し、シート側処理部は、上記スイッチのオン信号が入力されたとき、オン信号とともにシート側記憶部に記憶された固有ＩＤを送信する点に特徴を有する。
第９の発明は、上記第１〜第８の発明のメイン処理部が、検出部から入力された信号のうち、予め設定した基準レベル以上の信号を動作検出信号と判定する点に特徴を有する。
【発明の効果】
【００１５】
第１〜第９の発明は、遊技場に設置された監視対象機器が、不正に操作されていないかどうかを監視するためのシステムを、遊技場にすでに設置されている遊技台などの監視対象機器の大がかりなレイアウト変更などを必要としないで、簡単に導入できるようになる。
第２の発明によれば、予め設置されている監視対象機器に対応する検出部や受信部を、上記監視対象機器やその近傍に、より簡単に取り付けることができるようになる。
第３の発明によれば、動作、非動作を簡単な装置によって検出できる。
【００１６】
また、第４〜第８の発明によれば、監視対象機器に対応する検出部がシート状なので、その設置場所の自由度が、大幅に向上するとともに、検出信号を無線で発信するようにしたので、受信部と検出部とを分離して設置しても、複雑な配線などが不要で、さらに、設置の自由度が増す。
第５の発明によれば、動作検出信号を発信した監視シートを特定することができ、その結果、監視対象機器を特定することもできる。
第６の発明によれば、簡単な構成で振動を検出することができる。
【００１７】
第７の発明によれば、複数の検出信号の出力パターンによって、動作の種類を推測することができる。
第８の発明によれば、監視シートを監視対象機器に固定する際に、シート固有のＩＤと監視対象機器との対応関係を設定することができるようになる。
第９の発明によれば、検出部から出力された信号のレベルによって、アラーム動作信号を出力するかどうかを決定できるようになる。
【発明を実施するための最良の形態】
【００１８】
図１に示す第１実施例は、遊技場に設置された遊技台１の台本体を、基枠に対して開閉する動作を監視する監視システムである。上記台本体を基枠内に組み込んだものが遊技台１である。
また、上記台本体は、最前面のガラス扉と、ガラス扉の奧にあって、パチンコ玉が落下する遊技盤面板とを備え、この遊技盤面板の裏面には電子回路が取り付けられている。この電子回路の修理や調整などを行う際には、台本体を上記基枠から回転させて開けなければならない。許可されていない者が、この台本体を開けて、電子回路を不正に調整するようなことがあると困るので、台本体の開閉を監視することにしている。
【００１９】
各遊技台１には、上記台本体の開閉を検出する光センサ２を取り付けている。この光センサ２は、上記遊技盤面板の裏面に取り付けられている。遊技盤面板の奧であって、その遊技台１の背後に設置されている他の遊技台１や壁面との間のスペースは、上記台本体を閉めている時には暗く、開けると、遊技場内の光が入り込んで明るくなる所である。そこで、光センサ２によって、台本体の開閉を検出することができる。つまり、この光センサ２が、この発明の検出部であり、台本体の開閉が、この発明の監視対象動作にあたる。そして、この第１実施例では、遊技台１が、監視対象機器である。
【００２０】
さらに、上記光センサ２の出力信号を入力する処理部３を備え、処理部３には、後で説明する従業員ＩＤを読み取る受信部４と、アラーム５と、従業員データベース６とを接続している。
そして、上記処理部３、受信部４、アラーム５とをケース７に組み込んで、遊技台１の近傍に設置する。このケース７と光センサ２とを、遊技台１ごとに設け、複数の遊技台１に対応する処理部３を、ひとつの従業員データベース６に接続している。
【００２１】
上記受信部４は、従業員ＩＤ（identification）を記憶したＩＣタグ８からＩＤを読み取る機能を備えている。なお、上記ＩＣタグ８は、内蔵したＩＣ（integrated
circuit）に、従業員ＩＤを記憶するメモリと、記憶情報を発信するための発信回路とを備えている。そして、この発信回路は、上記受信部４から発信される電波によって駆動電源を供給されるようにしている。
【００２２】
上記のように、受信部４は、ＩＣタグ８に対して給電し、給電したＩＣタグ８から発信されたＩＤ信号を受信して、それを、処理部３に対して出力する機能を備えている。
なお、上記受信部４は、自身の近傍にあるＩＣタグ８だけに給電する能力と、近傍から発信された情報のみを受信する能力とを備えている。なぜなら、受信部４が、広範囲にあるＩＣタグ８からＩＤ信号を受信してしまうと、台本体を開閉している従業員のＩＤを特定できなくなってしまうからである。
【００２３】
つまり、上記近傍とは、特定の受信部４と、それに連係している遊技台１に近づいた従業員が携帯しているＩＣタグ８との距離に相当し、それより離れた所にあるＩＣタグ８、例えば、隣の遊技台の台本体を開閉している従業員のＩＣタグ８との距離より小さい距離である。
そして、この距離は、遊技場における遊技台１の配置や、上記受信部４の設置場所に応じて決まり、その距離に応じて、上記受信部４とＩＣタグ８が発信する信号強度を設定できるようにしてもよい。
【００２４】
また、上記従業員データベース６には、遊技台の基枠を開閉することを許可された従業員の従業員ＩＤが記憶されている。この従業員データベースには、上記基枠の開閉を許可された従業員のＩＤだけを記憶するようにしてもよいが、従業員ＩＤに対応付けて従業員属性なども記憶するようにしてもよい。
【００２５】
さらに、台本体の開閉を許可されていない従業員の情報もＩＤに対応付けて、この従業員データベース６に記憶しておいてもよい。ただし、台本体の開閉を許可されている従業員の従業員情報に、フラグを立てておくなどして、台本体の開閉が許可されていることを記す必要がある。要するに、従業員データベース６には、台本体の開閉を許可されている従業員のＩＤを、上記処理部３が特定できるようにして記憶されていればよい。そして、上記従業員データベース６が、この発明の記憶部であり、この従業員データベース６に記憶されている台本体の開閉を許可されている従業のＩＤが、この発明の特定のＩＤに相当する。
【００２６】
上記処理部３は、上記光センサ２からの光検出信号を受信して、台本体が開放されたことを認識するとともに、その時点で、上記受信部４からＩＤ信号が入力されているかどうかを判断し、上記受信部４からＩＤ信号が入力されていなかった場合には、アラーム動作信号をアラーム５に出力し、アラーム５から警報を発生させる。
上記処理部３に、光センサ２から光検出信号が入力されたのに、ＩＤ信号が入力されないということは、ＩＣタグ８を持たない者、つまり、台本体の開閉を許可されていない者が台本体を開けたということになる。従って、処理部３は、警報を発生させるように、アラーム動作信号を出力する。
【００２７】
また、処理部３に、光センサ２からの光信号が入力され、かつ、受信部４からＩＤが入力されたときには、処理部３は、入力されたＩＤ信号に基づいて、そのＩＤ信号が許可された者のＩＤに対応するものかどうかを判断する。
具体的には、上記処理部３は、上記受信部４から入力されたＩＤ信号を一時的に記憶するとともに、そのＩＤ信号と上記従業員データベース６が記憶している特定のＩＤである台本体の開閉を許可されている従業員ＩＤとを対比する。
【００２８】
そして、上記受信部４から入力されたＩＤ信号が、従業員データベース６で、台本体の開閉を許可された従業員ＩＤに対応しなかった場合に、アラーム動作信号を出力する。
つまり、処理部３は、ＩＤ信号が検出できない状態で台本体が開けられた場合と、検出されたＩＤが台本体の開閉を許可された従業員のものでない場合とに、アラーム５に対してアラーム動作信号を出力して、不正を知らせるようにしている。
また、開放された台本体が閉じられたときには、光が遮断されるので、上記光センサ２からの光検出信号がとぎれることになり、処理部３は、台本体の閉鎖も検出することができる。そこで、処理部３は、開閉時刻や開閉時間などを特定することもでき、これらのデータを、台本体の開閉を行った者のＩＤに対応付けて、台本体の開閉履歴として図示しない記憶部に記憶させるようにすることもできる。
【００２９】
上記のような監視システムでは、監視動作である台本体の開閉を行った者を特定するためのＩＤを、ＩＣタグ８から無線で受信部４が受信するようにしているため、従来のように、ＩＤを保持したカードを挿入するカードリーダーが不要である。カード挿入口は、遊技台１の正面に開口している必要があるので、カードリーダーの設置場所が限られるが、この実施例のように、無線でＩＤを受信する受信部４は、必ずしも遊技台１の正面に設ける必要がない。従って、受信部４の設置場所の自由度が高くなることになる。
【００３０】
図１に示すように、ケース７に受信部４、処理部３、アラーム５を組み込んだ場合にも、このケース７を、遊技台１の前ではなく、遊技台１の背後や、上方、下方など、遊技者の邪魔にならないところに設置することができる。特に、このケース７を遊技台１の隣に設置するために、すでに設置されている遊技台１の設置間隔を広げる必要もない。従って、予め決められている遊技場内のレイアウトにほとんど影響を与えること無く、この監視システムを導入することができる。
【００３１】
図２に示す第２実施例は、処理部３と受信部４とを、ケース９に組み込んで、このケース９を遊技台１の背面に取り付けた例である。ケース９の両脇には、取り付け部９ａを設け、そこに形成したねじ孔９ｂを用いて、ケース９を遊技台１の背面、すなわち、台本体の背面に取り付けている。このように、ケース９に、処理部３と受信部４とを組み込んでいる点が、上記第１実施例と異なるが、その他は第１実施例と同様であり、第１実施例と同じ構成要素には、同じ符号を付けている。また、各構成要素の機能も第１実施例と同じである。
なお、アラーム５は、ケース９に組み込んでいないので、ケース９とは別に設置することができる。
【００３２】
この第２実施例では、処理部３および受信部４を、ケース９に組み込むとともに、ケース９に取り付け部９ａを備えたので、処理部３および受信部４を遊技台１に簡単に取り付けることができる。上記取り付け部９ａは、遊技台１の背面だけでなく、遊技台１をはめ込む島本体に取り付けてもかまわない。ケース９は、受信部４が対応する遊技台１の台本体を開閉する従業員が携帯しているＩＣタグとの間で通信が確立でき、他のＩＣタグからの電波の混線が起こらない位置に設置する必要があるが、上記取り付け部９ａを用いることによって、どのような所にも取り付けが簡単にできる。上記取り付け部９ａがこの発明の、受信部を監視対象機器またはその近傍に取り付けるための取り付け部である。
【００３３】
なお、上記処理部３をケース９内に組み込まないで、受信部４とは別に設置するようにしてもかまわないし、受信部４に直接取り付け部を設けるようにしてもかまわない。
また、光センサ２は、台本体の背面に取り付けているが、その取り付け方法はどのようなものでもかまわない。ただし、光センサ２にも、ケース９の取り付け部９ａのように、この発明の検出部の取り付け部を設ければ、その取り付け部を利用して、台本体の背面、基枠、島本体などへの取り付けが簡単にできる。
また、この第２実施例の場合にも、受信部４が無線によってＩＣタグ８からＩＤ信号を受信できるので、従来のカードリーダーのように、遊技台の前面から見える位置に設置する必要がなく、設置場所の自由度が高い。従って、後からの監視システムの導入が容易になる。
【００３４】
図３に示す第３実施例は、処理部を遊技台１毎に設けていない点が、図１の第１実施例と異なる。遊技台１には、光センサ２と受信部４とを取り付け、この遊技台１に対応するアラーム５も遊技台１に近接して設け、これら光センサ２、受信部４およびアラーム５を、コンピュータＣに接続し、コンピュータＣには、従業員データベース６を接続している。ただし、上記コンピュータＣには、複数の遊技台１に対応させて設けた光センサ２、受信部４およびアラーム５を接続している。そして、コンピュータＣは、各光センサ２および受信部４から入力される信号に基づいて、各アラーム５へ動作信号を出力すべきかどうかを判断するようにしている。つまり、上記コンピュータＣが、図１に示す第１実施例の、複数の処理部３の機能を備えていることになる。
【００３５】
このコンピュータＣは、上記第１実施例の処理部３と同様に機能し、この発明の検出部である光センサ２から光検出信号が入力されたときに、受信部４からＩＤ信号が入力されたかどうかを判断したり、入力されたＩＤ信号と従業員データベース６が記憶している特定のＩＤとを対比して、それらが一致するかどうかを判断したりする。そして、許可された従業員のＩＤが検出されないのに、台本体が開放されたときには、アラーム動作信号を出力するようにしている。
この第３実施例においても、各遊技台１に対応させて設けなければならない受信部４を遊技台１の前面から見える所に設置する必要がないので、後から設置することが容易である。
【００３６】
また、この第３実施例では、コンピュータＣが、複数の遊技台１に対応する検出部や、受信部からのデータを、処理するようにしているので、複数の処理部３の変わりに、１台のコンピュータＣを設ければよい。従って、複数の処理部３を設ける場合と比べて、さらに、後からのシステム導入が容易になる。
なお、コンピュータＣには、複数の光センサ２や受信部４およびアラーム５が接続されているので、それらを区別するために、各光センサ２および受信部４は、対応する遊技台１の機器ＩＤなどを、上記検出信号とともに出力するようにしている。また、アラーム５についても、対応する遊技台の機器ＩＤなどと対応付け個々のアラーム５を記憶し、アラーム動作信号を出力する際の出力先を特定するようにしている。
【００３７】
なお、台本体の開閉を検出する検出部は、上記実施例の光センサ２に限らず、例えば、台本体の開閉を検出する検出部として、リミットスイッチなどを用いることもできる。ただし、電気的に開閉を検出する場合には、遊技台１から信号線を取り出さなければならない場合もあるが、光センサ２を用いた場合にはその必要がないので、その分取り付けが簡単である。
【００３８】
図４に示す第４実施例は、遊技媒体の計数器を監視する例である。
遊技場によっては、遊技によって獲得した遊技媒体を、計数器で計数する際に、従業員の立ち会いが必要であったり、従業員しか計数器を使用させないようにしたりしている所がある。そのような遊技場で有用な監視システムである。上記計数器１０が、この発明の監視対象機器である。
図４に示すように、計数器１０には、受信部４と、マイク１１とを取り付け、計数器１０の近くにアラーム５を設置している。そして、これら受信部４、マイク１１およびアラーム５を、コンピュータＣに接続している。また、このコンピュータＣには、従業員データベース６を接続している。このコンピュータＣは、上記第３実施例のコンピュータＣと同様の機能を有する。
【００３９】
上記受信部４は、他の実施例の受信部４と全く同じであり、ＩＣタグ８のＩＤ信号を受信して、コンピュータＣに対して出力する機能を有し、マイク１１は、計数器１０に遊技媒体が投入されて計数器内を落下する際に発生する音を検出し、その音データをコンピュータＣへ出力するものである。つまり、マイク１１が、ある一定以上の大きさや長さの音を検出した場合、コンピュータＣは、計数器が動作したことを認識することができる。従って、この実施例では、マイク１１が、この発明の検出部に当たる。計数器の動作を検出するための音量レベルは、コンピュータＣに設定するようにしていても良いし、マイク１１の音量の検出感度として設定しておくようにしてもよい。
【００４０】
このようなシステムで、計数器１０が、不正に使用されていないかどうかを監視する方法を簡単に説明する。
計数器１０に遊技媒体が投入されて計数が開始すると、マイク１１は、遊技媒体の落下音を検出してその検出信号を、コンピュータＣへ出力する。この時点で、ＩＣタグ８を携帯した従業員が、計数器１０近傍に立ち会っていなければ、受信部４からのＩＤ信号が、コンピュータＣへ入力されない。従って、コンピュータＣは、計数器の不正使用と判断して、アラーム５に対してアラーム動作信号を出力する。
【００４１】
コンピュータＣが、上記計数器１０の動作を検出した時点で、受信部４からＩＤ信号を受信した場合には、受信したＩＤ信号と、従業員データベース６に記憶されている特定のＩＤとを対比して、上記ＩＤ信号に対応するＩＤが、計数器の使用を許可された者のＩＤであるかどうかを判断する。その結果、上記ＩＤ信号に対応するＩＤが、使用許可された者のＩＤでない場合には、アラーム動作信号を出力する。
【００４２】
この第４実施例のシステムにおいても、従業員ＩＤなどを検出する受信部４が、ＩＣタグ８から無線でＩＤを検出することができるので、カード挿入口を表面に設けたカードリーダーを必要としない。上記受信部４は、監視対象機器である計数器の近傍なら、どこに設けてもかまわないので設置し易い。また、上記受信部４や、検出部としてのマイク１１に、専用の取り付け部を設けておけば、それらを、計数器やその近傍に簡単に取り付けることができる。
【００４３】
上記実施例では、計数器の動作開始を検出する検出部として、マイク１１を用いているが、他の手段を用いてもかまわない。例えば、計数器１０に遊技媒体を投入するホッパーと遊技媒体が計数されながら通過する通路との間の仕切板を移動させるソレノイドの通電を検出する電流センサなどを用いることも可能である。ただし、上記マイク１１の方が、電気的に検出する他の方法よりも、構成を単純にできるし、取り付けも簡単である。
【００４４】
なお、上記アラーム５は、警報を発する装置に限らず、例えば、ランプなどで不正を知らせるようにしてもかまわない。また、アラーム５を個々の監視対象機器に対応付けて設けなくてもよい。例えば、専用のディスプレイに、不正の疑いのある監視対象機器の位置を表示させるようにすることも考えられる。
さらに、各実施例において、アラーム動作信号の出力先は、アラーム装置に限らず、監視対象機器であってもよい。例えば、不正の疑いのある遊技台などの監視対象機器に対して、上記アラーム動作信号によってその後の動作を停止させるというようにしてもい。
また、監視対象機器や、監視対象動作も、上記実施例のものに限らない。
【００４５】
図５〜図１０に示す第５実施例は、監視対象機器である遊技台１に監視シート１２を固定して、遊技台１に組み込まれた基盤回路に対する不正操作を防止しようとする例である。
上記監視シート１２は、図５に示すように、検出部１３と、シート側処理部１４と無線発信部１５とを備えている。そして、この監視シート１２は、図６に示すように、シート状の第１検出部１３ａと第２検出部１３ｂ上に、シート側処理部１４，無線発信部１５、電源１９を積層している。上記第１、第２検出部１３ａ，１３ｂはそれぞれ、シート状に形成したピエゾ素子などの圧電素子に錘を連係させたものであり、振動を検出するための検出部である。これら第１、第２検出部１３ａ，１３ｂを図５では、検出部１３として示している。
また、上記検出部１３ａ，１３ｂ上に積層した各構成要素も、薄膜状に形成したものである。なお、上記電源１９は、薄型の電池や、外部電波によって電力が誘起される電源回路等であり、シート側処理部１４や無線発信部１５を動作させるための電源である。
また、上記電池として、光エネルギーを利用した光起電素子を用いてもよい。
【００４６】
さらに、監視シート１２の片面には、接着剤を塗布した接着剤層２０を設けている。そして、この接着剤層２０によって監視シート１２を遊技台１に固定する。
図７に示すのは、遊技台１の背面であるが、遊技台１の背面には、遊技台１内に組み込んだ制御基盤を覆うための基盤カバー２１を固定ネジ２２で固定している。この基盤カバー２１と遊技台１の背面とに渡して、上記監視シート１２を貼り付けている。
従って、上記基盤カバー２１を開けるためには、監視シート１２を剥がさなければならず、そのときには、上記検出部１３が、振動を検出する。
【００４７】
上記シート側処理部１４は、検出部１３からの検出信号を受信したときに、その信号を無線発信部１５から発信させる機能を備え、上記無線発信部１５は、上記シート側処理部１４の制御に従って必要な信号を発信する機能を備えている。
また、遊技台１とは別であって、上記無線発信部１５から発信される信号を受信可能な位置に、受信部１６を設けるとともに、この受信部１６には、メイン処理部１７を接続している。
さらに、メイン処理部１７には、メイン記憶部１８を接続している。このメイン記憶部１８には、遊技台１の基盤カバー２１を開けて、内部の基盤を調整することを許可された特定の従業員のＩＤを記憶している。上記メイン記憶部１８が、この発明の人ＩＤ記憶部に当たる。そして、従業員は、上記他の実施例と同様に、従業員ＩＤを記憶したＩＣタグ８を携帯し、上記受信部１６は、このＩＣタグ８からＩＤを読み取る機能を備えている。
【００４８】
従って、上記受信部１６は、遊技台１に固定した監視シート１２からの無線信号を受信可能な位置であって、しかも、遊技台１に近づいた従業員のＩＣタグ８からＩＤを読み取ることが可能な位置に設置しなければならないが、上記メイン処理部１７およびメイン記憶部１８は、受信部１６と接続できれば、どこに設置してもかまわないし、メイン処理部１７には、複数の受信部１６を接続してもよい。
【００４９】
以下に、この第５実施例において、上記基盤カバー２１が開けられそうになったときに、それを検出する手順を説明する。
なお、従業員が携帯しているＩＣタグ８は、所定の間隔で、自身のＩＤデータを発信するようにしている。
基盤カバー２１を開けるためには、このカバー２１に貼り付けられた監視シート１２を剥がさなければならない。監視シート１２が剥がされると、監視シート１２内の検出部１３が振動を検出してその振動検出信号をシート側処理部１４へ出力する。この振動検出信号が、この発明の動作検出信号である。シート側処理部１４は、上記振動検出信号を、無線発信部１５を介して、上記受信部１６に対し発信する。
【００５０】
受信部１６は受信した振動検出信号をメイン処理部１７へ入力する。
メイン処理部１７は、上記振動検出信号を受信し、上記監視シール１２に対して振動が与えられたことを認識するとともに、その時点で、上記受信部１６を介してＩＣタグ８からのＩＤ信号が入力されているかどうかを判断し、ＩＤ信号が入力されていなかった場合には、アラーム動作信号を、図示しないアラーム装置へ出力し、警報を発生させる。
上記メイン処理部１７に、監視シート１２からの振動検出信号が入力されたのに、ＩＤ信号が入力されないということは、ＩＣタグ８を持たない者、つまり、基盤カバー２１の開閉を許可されていない者が、基盤カバー２１を開けたということになる。従って、メイン処理部１７は、警報を発生させるように、アラーム動作信号を出力するのである。
【００５１】
また、メイン処理部１７に、監視シート１２からの振動検出信号が入力され、かつ、受信部１６からＩＤ信号が入力されたときには、メイン処理部１７は、入力されたＩＤ信号に基づいて、そのＩＤ信号が、基盤カバー２１の開閉を許可された者のＩＤかどうかを判断する。
具体的には、上記メイン処理部１７は、上記受信部１６から入力されたＩＤ信号を一時的に記憶するとともに、そのＩＤ信号と上記メイン記憶部１８が記憶している特定のＩＤである、基盤カバー２１の開閉を許可された従業員ＩＤとを対比する。
【００５２】
そして、上記受信部１６から入力されたＩＤ信号が、メイン記憶部１８が記憶している基盤カバー２１の開閉を許可された従業員ＩＤに対応しなかった場合に、アラーム動作信号を出力する。
つまり、メイン処理部１７は、ＩＤ信号が検出できない状態で基盤カバー２１が開けられた場合と、検出されたＩＤが基盤カバー２１の開閉を許可された従業員のものでない場合とに、アラーム装置に対してアラーム動作信号を出力して、不正を知らせるようにしている。
また、ＩＤ信号を受信した場合には、基盤カバー２１の開閉時刻や開いていた時間などを特定し、これらのデータを、作業者のＩＤに対応付けて、基盤カバー２１の開閉履歴としてメイン記憶部１８に記憶させるようにすることもできる。
【００５３】
上記のような監視システムでは、監視動作である基盤カバー２１を開ける動作を行った者を特定するためのＩＤを、ＩＣタグ８から無線で受信部１６が受信するようにしているため、従来のように、ＩＤを保持したカードを挿入するカードリーダーが不要である。カード挿入口は、遊技台１の正面に開口している必要があるので、カードリーダーの設置場所が限られるが、無線でＩＤを受信する受信部１６は、必ずしも遊技台１の正面に設ける必要がない。従って、受信部１６の設置場所の自由度が高くなることになる。
また、検出部１３をシート状にしたため、検出部１３の取り付け位置の自由度も高くなった。さらに、監視シート１２の検出信号を、受信部１６へ無線で送信して、メイン処理部１７に入力できるので、監視シート１２と受信部１６との間の配線を省略できるし、受信部１６の設置場所の自由度がさらに高まる。
【００５４】
また、この第５実施例では、１枚の監視シート１２内に、２つの検出部１３ａ，１３ｂを備えている。各検出部１３ａ，１３ｂの検出信号を別々に検出すれば、これらの検出パターンから、振動の種類を分類し、不正行為かどうかの判断をすることもできる。
例えば、図８に示すように、貼り付けられた監視シート１２の角をつまんで矢印方向に剥がそうとした場合、検出部１３のうち、第１検出部１３ａが先に振動を検出して検出信号を出力し、次いで第２検出部１３ｂが振動を検出して検出信号を出力する。
このように、第１、第２検出部１３ａ，１３ｂが振動を検出して、その振動検出信号を時間差を持って出力した場合、メイン処理部１７が受信した振動検出信号は、図９のように表すことができる。図９は、横軸を時間軸として、メイン処理部１７が受信した信号波形を示したグラフであり、第１検出部１３ａからの出力は、信号ａ、第２検出部１３ｂからの出力は信号ｂである。
【００５５】
図９のように、２つの検出部１３ａ，１３ｂから出力される信号ａ，ｂから、信号検出の時刻に差が有る場合には、図８に示すように、監視シート１２を端から剥がしたり、貼り付けたままの状態で、基盤カバー２１を開けて、監視シート１２を破壊したような場合である。このような状況のときに、ＩＤ信号が入力されなかったり、入力されたＩＤ信号に一致するＩＤがメイン記憶部１８に記憶されていなかった場合には、不正が行われた可能性が高いので、メイン処理部１７は、アラーム動作信号を出力する。
【００５６】
一方、第１検出部１３ａと第２検出部１３ｂからの信号出力タイミングが一致していた場合、例えば、図１０に示す場合には、これらの信号を受信したメイン処理部１７は、監視シート１２が破壊されたのではなく、例えば、遊技台１全体の振動が、監視シート１２で検出されたと判断できる。
このような、遊技台１全体の振動には、さまざまな原因が考えられる。例えば、遊技者のハンドル操作、遊技媒体の投入、ガラス扉の開閉のように、不正とは関係ない原因も有るし、遊技台１を叩いたりした場合の振動もある。
【００５７】
ただし、上記のように、通常の遊技中に発生する振動は、その振幅が小さいので、メイン処理部１７で、それを区別して無視することもできる。予め、振幅の基準レベルを設定し、その基準レベルを超えた振幅の振動検出信号を受信した場合にのみ、動作検出信号と認識して、上記のように、ＩＤ信号の有無や、メイン記憶部１８が記憶しているＩＤとの対比などを行うようにする。これにより、やたらにアラーム動作信号が出力されることがなくなる。
【００５８】
図１１に示す第６実施例は、監視シート１２内に、シート側記憶部２３を設けている点が上記第５実施例と異なるが、その他は、第５実施例と同じである。
このシート側記憶部２３には、監視シート１２に個別に付けられたシートＩＤを記憶している。そして、シート側処理部１４は、上記シートＩＤを、検出部１３から出力された振動検出信号とともに無線発信部１５を介して発信するようにしている。
【００５９】
従って、メイン処理部１７は、受信部１６を介して上記振動検出信号を受信したとき、それとともに入力された上記シートＩＤに基づいて、上記振動検出信号が、どの監視シート１２から出力されたのかを判断することもできる。
そして、メイン記憶部１８に、上記監視シート１２の貼付場所である遊技台１と上記シートＩＤとの対応テーブルを記憶させておけば、メイン処理部１７は、この対応テーブルに基づいて、上記振動検出信号が検出された遊技台１を特定することができる。
【００６０】
例えば、上記監視シート１２が破壊されて大きな振動が検出されたようなとき、どの遊技台１からの検出信号であるのかが分からなくても、メイン処理部１７が、アラーム動作信号を出力して警報を発生させることによって、基盤に対する不正行為を防止することはできる。しかし、遊技台１が特定できれば、特定の遊技台の履歴として自動的に記録を残すこともできるし、アラーム動作信号が出力された時点で、その場に駆けつけることもできる。
なお、上記シートＩＤがこの発明のシート側記憶部に記憶された固有のＩＤであるが、監視シート１２を貼り付ける際に、その監視シート１２のシート側記憶部２３に、遊技台を特定するための台番号などを上記固有のＩＤとして記憶させておくようにすれば、遊技台の特定が、より簡単にできるようになる。
【００６１】
一方、上記受信部１６と遊技台１とを１対１に対応付けておけば、メイン処理部１７は、受信部１６を特定するための受信部１６のＩＤを受信して、遊技台１を特定することができるが、１つの受信部１６が、複数の監視シート１２からの信号を受信するように構成した場合には、受信部１６のＩＤに基づいて、ひとつの遊技台１を特定することは困難である。このような場合にも、上記のように、遊技台１に貼付した監視シート１２のシートＩＤと遊技台１とを対応させておけば、シートＩＤから遊技台１を特定することが可能になる。従って、１つの受信部１６を複数の監視シート１２からの検出信号を受信するために用いることができる。
【００６２】
図１２，図１３に示す第７実施例は、監視シート１２内に、シート側処理部１４に接続したスイッチ２４を設けている点が、上記第６実施例と異なるが、その他の構成は、上記第６実施例と同じである。
すなわち、監視シート１２の検出部１３が振動を検出して、無線発信部１５を介して振動検出信号を発信すると、メイン処理部１７は、受信部１６を介して上記振動検出信号を受信する。メイン処理部１７は、そのときに従業員ＩＤが入力されなかった場合には、アラーム動作信号を図示しないアラーム装置に対して出力する。また、上記振動検出信号とともに、ＩＤ信号が入力されたとしても、そのＩＤ信号に一致する人ＩＤがメイン記憶部１８に記憶されていなかった場合にも、アラーム動作信号を出力する。この点は、上記他の実施例と同じ作用である。
【００６３】
ただし、この第７実施例においては、特定の監視シート１２を監視対象機器である遊技台１に取り付ける際に、監視シート１２と遊技台１との対応関係を設定できるようにしている。
そして、上記監視シート１２内のスイッチ２４は、シート側処理部１４に接続していて、シート側処理部１４は、スイッチ２４のオン信号が入力されると、シート側記憶部２３が記憶しているシートＩＤを取り出して、無線発信部１５から受信部１６へ向けて発信する機能を備えている。
また、メイン処理部１７は、受信部１６を介して、上記シートＩＤを受信したら、それと台番号とを対応付けるための、シート設置画面を作成して、出力する機能と、この設置画面をメイン記憶部１８に記憶させる機能とを備えている。
【００６４】
以下に、監視シート１２を遊技台１に取り付ける際に、シートＩＤと遊技台１の台番号とを対応付ける手順を説明する。
監視シート１２の設置担当者は、上記受信部１６を介してメイン処理部１７にアクセス可能な通信機能を備えたＰＤＡ（personal digital assistants）２５を携帯する。
そして、上記設置担当者は、監視シート１２を遊技台１に貼り付けたら、スイッチ２４を押し、監視シート１２からシートＩＤを発信させるとともに、携帯しているＰＤＡ２５によって、メイン処理部１７へアクセスする。なお、上記ＰＤＡ２５は、上記メイン処理部１７にアクセスする際には、自身が保持している作業者ＩＤを自動的に送信するようにしている。
【００６５】
メイン処理部１７は、受信部１６を介して受信したシートＩＤと、上記ＰＤＡ２５から発信された作業者ＩＤとを受信したら、ＰＤＡ２５に、図１３に示す設置画面２６を表示させる。この設置画面２６には、シートＩＤ欄２７、台番号欄２８、作業者ＩＤ欄２９が設けられている。上記シートＩＤ欄２７には、監視シート１２から発信されたシートＩＤを表示し、作業者ＩＤ欄２９には、ＰＤＡ２５から発信された作業者ＩＤを表示させる。この作業者ＩＤは、監視シート１２を設置した担当者を特定する際に利用できるものであるが、特に、この発明のシステムにおける不正や異常の検出動作には、関わりがない。
なお、ＰＤＡ２５からは、作業者ＩＤの代わりにＰＤＡのＩＤを発信するようにしても、そのＰＤＡ２５の使用者が分かれば、監視シート１２の設置者を特定することができる。
【００６６】
また、台番号欄２８は、ＰＤＡ２５から台番号を入力するための入力欄で、設置担当者が、上記監視シート１２を貼り付けた遊技台１の台番号を手入力するようにしている。
さらに、上記ＰＤＡ２５からは、表示された設置画面２６内の、シートＩＤや作業者ＩＤなどを修正することもできるようにしている。
なお、ここでは、遊技台の台番号は、ＰＤＡ２５から、手入力するようにしているが、遊技台１と受信部１６との対応関係が、メイン記憶部１８に記憶されていれば、メイン処理部１７が、信号を受信した際に、受信部１６を特定して、自動的に遊技台１を特定することもできる。
また、上記作業者ＩＤは、その作業者が携帯しているＩＣタグから発信され、それを受信部１６が受信するようにしてもよい。
【００６７】
このように、メイン処理部１７が、受信部１６から遊技台１を自動的に特定できれば、上記のように、ＰＤＡ２５に設置画面２６を表示させる際に、台番号欄２８に、台番号を自動的にあてはめて表示させることもできる。
そして、必要に応じて、設置担当者が修正し、メイン処理部１７は、完成した設置画面２６のシートＩＤと台番号との対応関係をメイン記憶部１８に記憶させる。
このようにして、メイン記憶部１８には、シートＩＤと台番号との対応テーブルが記憶されるので、監視シート１２の検出部１３が振動を検出した際に、メイン処理部１７では、対応する遊技台を特定することができるようになる。
【００６８】
なお、上記第５〜第７実施例における監視シート１２の検出部１３は、振動を検出する機能を備えているが、振動以外の状態変化を検出するものでもよい。
また、上記振動を検出する機能を発揮する構造としては、圧電素子に錘を連係させたもの以外に、加速度センサなど物体の移動を検出するセンサに錘を連係させたものが利用できる。
【図面の簡単な説明】
【００６９】
【図１】第１実施例のシステム構成図である。
【図２】第２実施例のシステムの、受信部の取り付け方法を説明する図である。
【図３】第３実施例のシステム構成図である。
【図４】第４実施例のシステム構成図である。
【図５】第５実施例のシステムの構成図である。
【図６】第５実施例の監視シートの構成図である。
【図７】第５実施例の監視シートの取り付け例を示した取り付け個所の拡大図である。
【図８】第５実施例の監視シートが剥がされる状態を示した説明図である。
【図９】第５実施例の動作検出信号の例を示したグラフである。
【図１０】第５実施例の動作検出信号の例を示したグラフである。
【図１１】第６実施例のシステムの構成図である。
【図１２】第７実施例のシステムの構成図である。
【図１３】第７実施例の設置画面である。
【符号の説明】
【００７０】
１        遊技台
２        光センサ
３        処理部
４        受信部
５        アラーム
６        従業員データベース
８        ＩＣタグ
９ａ      取り付け部
１０      計数器
１１      マイク
１２      監視シート
１３      検出部
１３ａ    第１検出部
１３ｂ    第２検出部
１４      シート側処理部
１５      無線発信部
１６      受信部
１７      メイン処理部
１８      メイン記憶部
２３      シート側記憶部
２４      スイッチ
【図１】
2005111243.tif 000003
【図２】
2005111243.tif 000004
【図３】
2005111243.tif 000005
【図４】
2005111243.tif 000006
【図５】
2005111243.tif 000007
【図６】
2005111243.tif 000008
【図７】
2005111243.tif 000009
【図８】
2005111243.tif 000010
【図９】
2005111243.tif 000011
【図１０】
2005111243.tif 000012
【図１１】
2005111243.tif 000013
【図１２】
2005111243.tif 000014
【図１３】
2005111243.tif 000015